(57)【要約】  【課題】タンク本体の上面部に給油口を設けた建設機械のタンクにおいて、タンク内部の清掃作業を容易に行なえるとともに、給油口の破損や錆の発生に対して簡単に対処できるようにする。  【解決手段】タンク本体の上面部２１ａに給油口２２を設けた建設機械のタンクにおいて、前記給油口２２は円筒形の筒状部２３と、該筒状部２３の下部に固設されて筒状部２３よりも大径であるフランジ部２４とからなり、一方、前記タンク本体の上面部２１ａには、前記フランジ部２４に対応する大きさにて取付座２６を固設し、該取付座２６内側の前記タンク本体の上面部２１ａに前記筒状部２３よりも大径の清掃口２７を開穿し、前記給油口２２のフランジ部２４を前記取付座２６へ着脱可能に固定した。【選択図】図３
2008057149.tif 000002
【特許請求の範囲】
【請求項１】
タンク本体の上面部に給油口を設けた建設機械のタンクにおいて、
前記給油口は円筒形の筒状部と、該筒状部の下部に固設されて筒状部よりも大径であるフランジ部とからなり、一方、前記タンク本体の上面部には、前記フランジ部に対応する大きさにて取付座を固設し、該取付座内側の前記タンク本体の上面部に前記筒状部よりも大径の清掃口を開穿し、前記給油口のフランジ部を前記取付座へ着脱可能に固定したことを特徴とする建設機械のタンク。
【発明の詳細な説明】
【技術分野】
【０００１】
本発明は油圧ショベルをはじめとする建設機械のタンクに関するものであり、特に、タンク内部の清掃を容易にしたタンクに関するものである。
【背景技術】
【０００２】
従来、此種建設機械は燃料タンクをはじめとして作動油タンク、潤滑油タンクなど数種類のタンクを搭載している。一例として説明すれば、タンク本体の上面部に給油口が設けられ、給油中以外は該給油口にキャップが蓋装される。また、給油中に塵芥などの不純物がタンク本体内に入り込まないように、給油口にストレーナを設けているものが多い（例えば特許文献１）。
【０００３】
しかし、ストレーナを装着しないタンクもあり、ストレーナを装着したとしても微細な不純物はストレーナを通過することもある。これらの不純物がタンク内部の油に残留して多量となると、エンジンあるいは油圧機器に悪影響を及ぼすので、ときどき、タンク内部のごみを除去する必要がある。
【０００４】
タンク内部の油に混入しているごみを除去する方法としては、タンクに設けられているドレーンを開放して、内部の油とともにごみをタンクの外へ排出する方法が簡単である。しかし、この方法では、タンクの内壁に付着したごみは除去できない。タンクの内壁に付着したごみを除去する方法としては、給油口からタンク内にノズルを挿入し、該ノズルから洗浄液をタンクの内壁に向けて噴射し、洗浄液とともにごみをドレーンから排出する方法が知られている（例えば特許文献２、特許文献３）。
【特許文献１】特開平８−１５５２２２号公報
【特許文献２】特開平９−２３６０５８号公報
【特許文献３】特許２８７８０１３号公報
【発明の開示】
【発明が解決しようとする課題】
【０００５】
此種建設機械のタンクは、タンク本体の上面部に給油口を設けたものが多いが、該給油口はキャップを蓋装するために、その口径がおのずと制限されている。したがって、給油口からタンク内にノズルを挿入できない場合がある。たとえ、給油口からノズルを挿入できたとしても、清掃作業が行ない難いという問題があった。
【０００６】
一般的に、建設機械のタンクはスチール製のものが多く、給油口は機体の外側へ向けられているので、雨水などによって錆が発生しやすく、また、多物が接触して破損する可能性も高い。
【０００７】
そこで、タンク本体の上面部に給油口を設けた建設機械のタンクにおいて、タンク内部の清掃作業を容易に行なえるとともに、給油口の破損や錆の発生に対して簡単に対処できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、タンク本体の上面部に給油口を設けた建設機械のタンクにおいて、前記給油口は円筒形の筒状部と、該筒状部の下部に固設されて筒状部よりも大径であるフランジ部とからなり、一方、前記タンク本体の上面部には、前記フランジ部に対応する大きさにて取付座を固設し、該取付座内側の前記タンク本体の上面部に前記筒状部よりも大径の清掃口を開穿し、前記給油口のフランジ部を前記取付座へ着脱可能に固定したことを特徴とする建設機械のタンクを提供する。
【０００９】
この構成によれば、給油口は筒状部とフランジ部とからなり、筒状部よりも大径のフランジ部はタンク本体の上面部に固設した取付座に着脱可能に固定される。通常使用時は、前記取付座に給油口のフランジ部が固定されており、給油する際は、給油口を開放して筒状部からタンクへ給油する。タンク本体の内部を清掃する際は、給油口のフランジ部を取付座から取り外して、前記給油口の筒状部よりも大径の清掃口を露出させ、該大径の清掃口からタンク本体の内部を清掃する。
【発明の効果】
【００１０】
請求項１記載の発明は、タンク本体に対して給油口を着脱可能に形成したので、通常時はタンク上面部に給油口を固定しておき、給油口の筒状部からタンクへ給油する。清掃時は給油口をタンク上面部から取り外すことにより、タンク上面の大径な清掃口が露出して、この清掃口からタンク内部の清掃を容易に行なうことができる。また、給油口を着脱することができるので、多物が接触して給油口が破損した場合や給油口に錆が発生した場合は、新しい給油口と交換するか、あるいは、当該給油口を一旦取り外して修理もしくは再塗装することが可能であり、メンテナンス性を向上させることができる。
【発明を実施するための最良の形態】
【００１１】
以下、本発明に係る建設機械のタンクについて、好適な実施例をあげて説明する。タンク本体の上面部に給油口を設けた建設機械のタンクにおいて、タンク内部の清掃作業を容易に行なえるとともに、給油口の破損や錆の発生に対して簡単に対処できるようにするという目的を達成するために、本発明は、前記給油口は円筒形の筒状部と、該筒状部の下部に固設されて筒状部よりも大径であるフランジ部とからなり、一方、前記タンク本体の上面部には、前記フランジ部に対応する大きさにて取付座を固設し、該取付座内側の前記タンク本体の上面部に前記筒状部よりも大径の清掃口を開穿し、前記給油口のフランジ部を前記取付座へ着脱可能に固定したことにより実現した。
【実施例１】
【００１２】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１３】
前記上部旋回体１３の後部には、エンジン１８や作動油タンク１９、燃料タンク２０などが搭載され、燃料タンク２０に貯留されている燃料がエンジン１８に送られてエンジン１８が回転し、該エンジン１８によって油圧ポンプ（図示せず）が駆動され、作動油タンク１９に貯留されている作動油が油圧モータや油圧シリンダなどへ供給される。
【００１４】
図２は燃料タンクの正面図、図３は燃料タンクの給油口の拡大断面図である。燃料タンク２０はスチール製であり、タンク本体２１の上面部２１ａに給油口２２が設けられている。この給油口２２は円筒形の筒状部２３と、該筒状部２３の下部に固設されて該筒状部２３よりも大径であるフランジ部２４とからなっている。前記筒状部２３の上端部にはキャップ２５が着脱可能に取り付けられている。
【００１５】
一方、タンク本体の上面部２１ａには、前記フランジ部２４に対応する大きさにて取付座２６を固設し、該取付座２６内側の前記タンク本体の上面部２１ａに前記筒状部２３よりも大径の清掃口２７を開穿してある。該取付座２６には所定間隔で螺子孔２８が設けられ、この螺子孔２８に対応して前記フランジ部２４に止め孔２９を開穿してある。フランジ部２４の上方からボルト３０を止め孔２９に挿通して螺子孔２８へ螺着することにより、前記給油口２２のフランジ部２４が前記取付座２６へ着脱可能に固定される。
【００１６】
前記給油口２２には、筒状部２３の内側に係止片３１が固設されており、給油口２２の筒状部２３に挿入されたストレーナ３２の上端部を前記係止片３１が係止して、ストレーナ３２を安定的に保持するように形成されている。
【００１７】
通常時使用時は、図示したように、前記取付座２６に給油口２２のフランジ部２４が固定されており、給油する際は、前記キャップ２５を取り外して給油口２２を開放し、筒状部２３に給油ノズル（図示せず）を差し込んで、ストレーナ３２を介して燃料を給油する。また、キャップ２５を開放したときに、ストレーナ３２にごみが溜まっている場合は、該ストレーナ３２を係止片３１から上方へ取り出して、ストレーナ３２のごみを除去する。ごみを除去したストレーナ３２は、再び給油口２２に差し込んで前記係止片３１に係止させる。給油後は、再びキャップ２５を装着して給油口２２を閉止する。
【００１８】
ここで、タンク本体２１の内部を清掃する場合は、前記給油口２２のフランジ部２４を固定しているボルト３０を弛緩し、フランジ部２４を取付座２６から離反させて、給油口２２をタンク本体の上面部２１ａから取り外す。なお、給油口２２を取り外す作業の前後何れかに、タンク本体２１に設けられているドレーン（図示せず）を開放して、内部の油をタンクの外へ排出する。
【００１９】
かくして、図４に示すように、タンク本体の上面部２１ａには、前記給油口２２の筒状部２３よりも大径の清掃口２７が露出する。該清掃口２７は大径であるので、清掃用のノズル（図示せず）の挿入がきわめて容易である。したがって、この大径の清掃口２７からタンク本体２１の内部へ清掃用のノズルを挿入し、該ノズルから洗浄液をタンクの内壁面に向けて噴射すれば、内壁面に付着したごみが洗浄液とともに洗い流されてドレーンから排出される。
【００２０】
このように、従来は口径が狭い給油口ではノズルでの清掃が困難であったが、本発明では、タンク本体２１の内部を清掃する際に、給油口２２を取り外すことによって大径の清掃口からタンク本体２１内部の清掃を容易に行なうことが可能となった。
【００２１】
また、給油口２２が取り外し可能であることから、給油口２２の防錆処理を行なう場合や、破損修理などの場合に、給油口のメンテナンスを簡易かつ迅速に行なうことができる。かくして、タンク内部の清掃作業が容易となり、給油口の破損や錆の発生に対してのメンテナンス性も向上できる。
【００２２】
なお、本実施例では燃料タンクについて説明したが、作動油タンクをはじめとする他のタンクであっても、まったく同様にして給油口を着脱可能にすることにより、タンク内部の清掃を容易化することができる。
【００２３】
そして、本発明は、本発明の精神を逸脱しない限り種々の改変を為すことができ、そして、本発明が該改変されたものに及ぶことは当然である。
【図面の簡単な説明】
【００２４】
【図１】本発明が適用された油圧ショベルの側面図。
【図２】本発明に係るタンクの一例を示す燃料タンクの正面図。
【図３】図２の燃料タンクの給油口の拡大断面図。
【図４】図２の燃料タンクの給油口を取り外した後の拡大断面図。
【符号の説明】
【００２５】
２０    燃料タンク
２１    タンク本体
２１ａ  上面部
２２    給油口
２３    筒状部
２４    フランジ部
２６    取付座
２７    清掃口
２８    螺子孔
２９    止め孔
３０    ボルト
【図１】
2008057149.tif 000003
【図２】
2008057149.tif 000004
【図３】
2008057149.tif 000005
【図４】
2008057149.tif 000006